(57)【要約】【課題】収容した携帯情報端末機の操作性が悪くなることがなく、携帯情報端末機用ケースをシステム手帳に綴じることを可能にすること。【解決手段】携帯情報端末機用ケース１は、携帯情報端末機１００の背面１０１ｂを覆う底壁２と、携帯情報端末機１００の側部１０１ｃ〜１０１ｆを覆う側壁３〜６と、右側壁６から外側へ張り出し、システム手帳２００のリング２０１を挿入するためのリング孔１４が上下方向に沿って複数設けられた取付部１２と、を備え、前面が開放していることを特徴とする。【選択図】図１０
2014216844.tif 000002
【特許請求の範囲】
【請求項１】
表示部及び操作部を前面に備える携帯情報端末機を収容する携帯情報端末機用ケースであって、
前記携帯情報端末機の背面を覆う底壁と、
前記携帯情報端末機の側部を覆う側壁と、
前記側壁から外側へ張り出し、リングバインダーのリングを挿入するためのリング孔が所定方向に沿って複数設けられた取付部と、を備え、
前面が開放していることを特徴とする携帯情報端末機用ケース。
【請求項２】
前記携帯情報端末機は、前記側部に、前記操作部を構成する操作子を備え、
前記側壁に、前記操作子を外部に露出させるための第１窓部を備えることを特徴とする請求項１に記載の携帯情報端末機用ケース。
【請求項３】
前記側壁は、少なくとも対向して２つ設けられており、
前記第１窓部は、対向する２つの前記側壁の、前記底壁の中央に対して点対称な位置に、１つずつ設けられていることを特徴とする請求項２に記載の携帯情報端末機用ケース。
【請求項４】
前記携帯情報端末機は、前記側部に、スピーカー、コネクタ、マイク、カメラの少なくとも１つの機能部を備え、
前記側壁に、前記機能部を外部に露出させるための第２窓部を少なくとも１つ備えることを特徴とする請求項１〜３のいずれか１項に記載の携帯情報端末機用ケース。
【請求項５】
前記側壁は、少なくとも対向して２つ設けられており、
前記第２窓部は、前記側壁の、前記底壁の中央に対して点対称な位置に、１つずつ設けられていることを特徴とする請求項４に記載の携帯情報端末機用ケース。
【発明の詳細な説明】
【技術分野】
【０００１】
本発明は、携帯情報端末機用ケースに関する。
【背景技術】
【０００２】
タブレットＰＣ等の携帯情報端末機（以下、単に「携帯端末」ともいう。）を収容するケースとして、様々なものが提案されている。特許文献１に記載のケースは、前面中央が透明部材で形成された正面部と、背面部と、前記正面部と前記背面部を連結し、且つ、その連結を解除する線ファスナー部と、システム手帳（リングバインダー）のリングに挿入する孔が縦列方向に複数設けられたリング係止部と、を有する。リング係止部は、背面部から面方向に張り出している。このケースにおいては、線ファスナー部を開いて、正面部と背面部の間に携帯端末を収容し、線ファスナー部を閉じることで、ケースに携帯端末を収容することができる。また、システム手帳のリングをケースの孔に挿入し、リングを閉じることで、携帯端末を収容したケースをシステム手帳に綴じることができる。これにより、携帯端末をシステム手帳とともに持ち運んだり、システム手帳とともに携帯端末を使用したりすることができる。
【先行技術文献】
【特許文献】
【０００３】
【特許文献１】実用新案登録第３１７８４０３号公報
【発明の開示】
【発明が解決しようとする課題】
【０００４】
ところで、携帯端末は、前面、背面、側部に、タッチパネル式の表示部、ボタン、スイッチ等の操作子等から構成される操作部が設けられている。特許文献１に記載のケースは、正面部、背面部、線ファスナー部で携帯端末を完全に覆ってしまっているため、携帯端末を操作しづらい。特に、側部に設けられた操作部を操作するには、逐一、線ファスナー部を開いて、携帯端末を取り出さなければならない。このように、特許文献１に記載のケースに携帯端末を収容し、携帯端末を収容したケースをシステム手帳に綴じた場合に、携帯端末の操作性が悪いという問題ある。
【０００５】
本発明の目的は、収容した携帯情報端末機の操作性が悪くなることがなく、携帯情報端末機用ケースをシステム手帳等のリングバインダーに綴じることを可能にすることである。
【課題を解決するための手段】
【０００６】
第１の発明の携帯情報端末機用ケースは、表示部及び操作部を前面に備える携帯情報端末機を収容する携帯情報端末機用ケースであって、前記携帯情報端末機の背面を覆う底壁と、前記携帯情報端末機の側部を覆う側壁と、前記側壁から外側へ張り出し、リングバインダーのリングを挿入するためのリング孔が所定方向に沿って複数設けられた取付部と、を備え、前面が開放していることを特徴とする。
【０００７】
本発明では、システム手帳等のリングバインダーのリングをリング孔に挿入し、リングを閉じることで、携帯情報端末機（以下、単に「携帯端末」ともいう。）を収容した携帯情報端末機用ケース（以下、単に「ケース」ともいう。）をリングバインダーに綴じることができる。また、ケースは、前面が開放しているため、ケースが携帯端末を収容した状態で、携帯端末の表示部及び操作部が外部に露出する。従って、ユーザーは、携帯端末を収容したケースがリングバインダーに綴じられた状態でも、外部に露出した携帯端末の操作部を操作することができる。このように、本発明のケースによれば、収容した携帯端末の操作性が悪くなることがなく、ケースをリングバインダーに綴じることができる。なお、携帯端末の表示部が、タッチパネル式であり、操作部を兼ねている場合、表示部以外の操作部が設けられていなくてもよい。また、「リングバインダー」は、例えば、リングが設けられた本体カバー、リングに綴じられたノート等により構成される。
【０００８】
第２の発明の携帯情報端末機用ケースは、第１の発明の携帯情報端末機用ケースにおいて、前記携帯情報端末機は、前記側部に、前記操作部を構成する操作子を備え、前記側壁に、前記操作子を外部に露出させるための第１窓部を備えることを特徴とする。
【０００９】
本発明では、ケースに携帯端末が収容された状態で、第１窓部から、携帯端末の側部の操作子が外部に露出する。このため、ユーザーは、ケースに収容された携帯端末の操作子を操作することができる。
【００１０】
第３の発明の携帯情報端末機用ケースは、第２の発明の携帯情報端末機用ケースにおいて、前記側壁は、少なくとも対向して２つ設けられており、前記第１窓部は、対向する２つの前記側壁の、前記底壁の中央に対して点対称な位置に、１つずつ設けられていることを特徴とする。
【００１１】
本発明では、第１窓部は、対向する２つの側壁の、底壁の中央に対して点対称な位置に、１つずつ設けられているため、携帯端末を互いに１８０度異なった姿勢で、ケースに収容させることができる。そして、ケースに収容された携帯端末の側部の操作子は、いずれかの第１窓部から外部に露出するため、携帯端末を収容したケースが、リングバインダーに綴じられた状態でも、外部に露出した携帯端末の操作子を操作することができる。このように、携帯端末を互いに１８０度異なった姿勢で、ケースに収容させることができるため、携帯端末の通常使用時の姿勢のまま、リングバインダーのノートの左側、又は、ノートの右側に携帯端末が配置されるように、ケースをリングバインダーに綴じることができる。右利きのユーザーは、リングバインダーのノートの左側に携帯端末が配置されるように、リングバインダーにケースを綴じれば、リングバインダーを左手で持ち、右手で携帯端末を操作しやすい。また、左利きのユーザーは、リングバインダーのノートの右側に携帯端末が配置されるように、リングバインダーにケースを綴じればリングバインダーを右手で持ち、左手で携帯端末を操作しやすい。このように、本発明のケースによれば、携帯端末を収容したケースがリングバインダーに綴じられた状態であっても、右利き、左利きのいずれのユーザーも、携帯端末を操作しやすい。
【００１２】
第４の発明の携帯情報端末機用ケースは、第１〜第３の発明のいずれかの携帯情報端末機用ケースにおいて、前記携帯情報端末機は、前記側部に、スピーカー、コネクタ、マイク、カメラの少なくとも１つの機能部を備え、前記側壁に、前記機能部を外部に露出させるための第２窓部を少なくとも１つ備えることを特徴とする。
【００１３】
本発明では、ケースに携帯端末が収容された状態で、第２窓部から、携帯端末の機能部が外部に露出する。このため、機能部がスピーカーである場合、ユーザーは、ケースに収容された携帯端末のスピーカーから発せられる音を聴取することができる。また、機能部がコネクタである場合、ユーザーは、ケースに収容された携帯端末のコネクタに外部装置を接続することができる。また、機能部がマイクである場合、ユーザーは、携帯端末がケースに収容されたままで、携帯端末のマイクを使用することができる。また、機能部がカメラである場合、ユーザーは、携帯端末がケースに収容されたままで、携帯端末のカメラを使用することができる。
【００１４】
第５の発明の携帯情報端末機用ケースは、第４の発明の携帯情報端末機用ケースにおいて、前記側壁は、少なくとも対向して２つ設けられており、前記第２窓部は、前記側壁の、前記底壁の中央に対して点対称な位置に、１つずつ設けられていることを特徴とする。
【００１５】
本発明では、第２窓部は、対向する側壁の、底壁の中央に対して点対称な位置に、１つずつ設けられているため、携帯端末の通常使用時の姿勢のまま、リングバインダーのノートの左側、又は、ノートの右側に携帯端末が配置されるように、ケースをリングバインダーに綴じることができる。また、機能部がスピーカーである場合、スピーカーがいずれかの第２窓部から外部に露出しているため、携帯端末を収容したケースがリングバインダーに綴じられた状態でも、ユーザーは、スピーカーから発せられる音を聴取することができる。また、機能部がコネクタである場合、コネクタがいずれかの第２窓部から外部に露出しているため、携帯端末を収容したケースがリングバインダーに綴じられた状態でも、ユーザーは、コネクタを介した、携帯端末と外部装置との接続を行うことができる。
【発明の効果】
【００１６】
本発明の携帯情報端末機用ケースによれば、収容した携帯情報端末機の操作性が悪くなることがなく、携帯情報端末機用ケースをリングバインダーに綴じることができる。
【図面の簡単な説明】
【００１７】
【図１】本発明の実施形態に係る携帯情報端末機用ケースの斜視図である。
【図２】携帯情報端末機用ケースの正面図である。
【図３】携帯情報端末機用ケースの背面図である。
【図４】（ａ）は、携帯情報端末機用ケースの平面図である。（ｂ）は、携帯情報端末機用ケースの底面図である。
【図５】（ａ）は、携帯情報端末機用ケースの右側面図である。（ｂ）は、携帯情報端末機用ケースの左側面図である。
【図６】携帯情報端末機の正面図である。
【図７】携帯情報端末機の背面図である。
【図８】（ａ）は、携帯情報端末機の平面図である。（ｂ）は、携帯情報端末機の底面図である。
【図９】（ａ）は、携帯情報端末機の右側面図である。（ｂ）は、携帯情報端末機の左側面図である。
【図１０】携帯情報端末機を収容した状態の携帯情報端末機用ケースの正面図である。
【図１１】携帯情報端末機を収容した状態の携帯情報端末機用ケースの背面図である。
【図１２】（ａ）は、携帯情報端末機を収容した状態の携帯情報端末機用ケースの平面図である。（ｂ）は、携帯情報端末機を収容した状態の携帯情報端末機用ケースの底面図である。
【図１３】（ａ）は、携帯情報端末機を収容した状態の携帯情報端末機用ケースの右側面図である。（ｂ）は、携帯情報端末機を収容した状態の携帯情報端末機用ケースの左側面図である。
【図１４】携帯情報端末機を収容したケースをシステム手帳に綴じた状態を示す図である。
【図１５】携帯情報端末機を収容した状態の携帯情報端末機用ケースの正面図である。
【図１６】携帯情報端末機を収容した状態の携帯情報端末機用ケースの背面図である。
【図１７】（ａ）は、携帯情報端末機を収容した状態の携帯情報端末機用ケースの平面図である。（ｂ）は、携帯情報端末機を収容した状態の携帯情報端末機用ケースの底面図である。
【図１８】（ａ）は、携帯情報端末機を収容した状態の携帯情報端末機用ケースの右側面図である。（ｂ）は、携帯情報端末機を収容した状態の携帯情報端末機用ケースの左側面図である。
【図１９】携帯情報端末機を収容したケースをシステム手帳に綴じた状態を示す図である。
【発明を実施するための形態】
【００１８】
以下、本発明の実施形態について図面に基づいて説明する。ただし、本発明は、この実施形態に限られるものではない。本発明の実施形態に係る携帯情報端末機用ケース１（以下、単に「ケース」ともいう。）は、携帯情報端末機１００（以下、単に「携帯端末」ともいう。）を収容し、且つ、リングバインダーであるシステム手帳２００に綴じることができる（図１４及び図１９参照。）。
【００１９】
まず、ケース１が収容する携帯端末１００について説明する。本実施形態では、携帯端末１００として、タブレットＰＣを例に挙げて説明する。図６に示すように、携帯端末１００の筐体１０１は、前面１０１ａ及び背面１０１ｂと、４つの側部１０１ｃ〜１０１ｆと、からなる扁平な略直方体状に形成されている。背面１０１ｂは、前面１０１ａよりも小さくなっており、側部１０１ｃ〜１０１ｆは、背面１０１ｂから前面１０１ａにわたって、曲面状に形成されている。携帯端末１００の前面１０１ａには、表示部１０２、操作部１０３、及び第１カメラ１０８が備えられている。また、その他にも、携帯端末１００は、図７に示すように、通信コネクタ１０４、スピーカー１０５、マイク１０６、ヘッドホンコネクタ１０７、第２カメラ１０９等を備えている。
【００２０】
表示部１０２は、タッチパネル式の液晶ディスプレイであり、種々の画像を表示し、また、後述する操作部１０３を兼ねている。操作部１０３は、表示部１０２、ホームボタン１１０、スライドスイッチ１１１、音量ボタン１１２、電源ボタン１１３等から構成される。ホームボタン１１０は、前面１０１ａの、表示部１０２の下方であって、左右方向の中央に設けられている。ホームボタン１１０は、表示部１０２に表示される画面を、各種のアイコン等を含むホーム画面に設定するためのボタンである。スライドスイッチ１１１は、右側部１０１ｅの上端に設けられている。携帯端末１００は、その姿勢によって、画面の向きが変化するが、ユーザーは、スライドスイッチ１１１を操作することにより、画面の向きが変化しないように、又は、変化するように設定することが可能である。音量ボタン１１２は、右側部１０１ｅのスライドスイッチ１１１の下方に設けられている。電源ボタン１１３は、上側部１０１ｃの右端に設けられている。
【００２１】
通信コネクタ１０４は、下側部１０１ｄの左右方向の中央に設けられている。通信コネクタ１０４は、メス型の接続コネクタであり、図示しないが、データ通信のためのピンと、電力供給のためのピンと、を有している。携帯端末１００は、通信コネクタ１０４を介して、外部装置とデータ通信を行ったり、外部装置から電力供給を受けたりすることが可能である。スピーカー１０５は、下側部１０１ｄの、通信コネクタ１０４の左右方向両側に設けられている。マイク１０６は、上側部１０１ｃの左右方向の中央に設けられている。ヘッドホンコネクタ１０７は、上側部１０１ｃの左端に設けられている。第１カメラ１０８は、前面１０１ａの、表示部１０２の上方であって、左右方向の中央に設けられている。第２カメラ１０９は、背面１０１ｂの右上端に設けられている。携帯端末１は、通常、ホームボタン１１０が下方に位置する姿勢で使用される。
【００２２】
次に、ケース１について説明する。図１及び図２に示すように、ケース１は、底壁２、側壁３〜６、窓部７〜１０、取付部１２等を備える。ケース１は、例えば、ポリカーボネート等の樹脂により形成されており、可撓性を有する。底壁２は、携帯端末１００の背面１０１ｂを覆うものである。底壁２の右上端、及び、左下端には、第２カメラ１０９を外部に露出させるためのカメラ用孔１１ａ、１１ｂが設けられている。
【００２３】
側壁３〜６は、それぞれ、携帯端末１００の側部１０１ｃ〜１０１ｆを覆うものである。側壁３〜６は、それぞれ、底壁２の上縁２ａ、下縁２ｂ、右縁２ｃ、左縁２ｄから携帯端末１００の側部１０１ｃ〜１０１ｆを囲む方向に延びている。上側壁３と下側壁４、右側壁５と左側壁６は、それぞれ、対向している。底壁２及び側壁３〜６によって形成される内側の空間は、携帯端末１００の外形と略同じ形状となっている。従って、側壁３〜６の内側の形状は、それぞれ、携帯端末１００の側部１０１ｃ〜１０１ｆの外形状と略同じとなっており、曲面状となっている。また、側壁３〜６の上端は、内側（携帯端末１００側）へ湾曲した湾曲部１３となっており、湾曲部１３が、ケース１に収容された携帯端末１００の前面１０１ａに係合する。これにより、ケース１に収容された携帯端末１００がケース１から落ちないように保持される。
【００２４】
窓部７〜１０は、操作部３等の携帯端末１００の各部を外部に露出させるためのものであり、側壁３〜６の、外部に露出させる各部と対応する位置に形成された切欠である。下側壁３の左右方向の中央、上側壁２の左右方向の中央には、それぞれ、スピーカー１０５及び通信コネクタ１０４を外部に露出させるためのスピーカー用窓部７ａ、７ｂが設けられている。また、上側壁２の左端、下側壁３の右端には、それぞれ、ヘッドホンコネクタ１０７を外部に露出させるためのヘッドホン用窓部８ａ、８ｂが設けられている。また、上側壁２の右端、下側壁３の左端には、それぞれ、電源ボタン１１３を外部に露出させるための電源ボタン用窓部９ａ、９ｂが設けられている。また、右側壁５の上端、左側壁６の下端には、音量ボタン１１２及びスライドスイッチ１１１を外部に露出させるための音量ボタン用窓部１０ａ、１０ｂが設けられている。なお、スピーカー用窓部７ａ、７ｂは、マイク１０６を外部に露出させるためのマイク用窓部を兼ねている。
【００２５】
取付部１２は、ケース１をシステム手帳に取り付けるためのものである。取付部１２は、音量ボタン用窓部１０ａが設けられている右側壁５から外側（携帯端末１００と反対側）へ張り出し、右側壁５の上端から下端にわたって設けられている。取付部１２には、システム手帳のリングを挿入するためのリング孔１４が上下方向に沿って６つ設けられている。具体的には、リング孔１４は、取付部１２の上方に３つ、下方に３つ設けられている。６つのリング孔１４は、例えば、Ａ５サイズのシステム手帳の６つのリングに対応した位置に設けられている。取付部１２の音量ボタン用窓部１０ａと対応する位置には、切欠部１６が設けられている。また、取付部１２と右側壁５との間には、取付部１２の強度を補強するためのリブ１５が設けられている。リブ１５は、上下方向に等間隔で５つ設けられている。
【００２６】
以上説明したケース１に携帯端末１００を収容する場合、側壁３〜６を外側へ撓ませながら、携帯端末１００をケース１内に挿入する。このとき、外側に撓んだ側壁３〜６が内側に戻り、湾曲部１３が携帯端末１００の前面１０１ａに係合する。これにより、携帯端末１００がケース１に収容され、保持される。ケース１は、前面が開放しているため、ケース１が携帯端末１００を収容した状態で、図１０に示すように、ケース１から外部に、表示部１０２、ホームボタン１１０、第１カメラ１０８が外部に露出する。図１１に示すように、ケース１の底壁２のカメラ用孔１１ａから、第２カメラ１０９が外部に露出する。また、図１１及び図１２（ａ）に示すように、ケース１の上側壁３のスピーカー用窓部７ｂからマイク１０６が、電源ボタン用窓部９ａから電源ボタン１１０が、ヘッドホン用窓部８ａからヘッドホンコネクタ１０７が外部に露出する。また、図１１及び図１２（ｂ）に示すように、ケース１の下側壁４のスピーカー用窓部７ａからスピーカー１０５及び通信コネクタ１０４が外部に露出する。また、図１１及び図１３（ａ）に示すように、ケース１の右側壁５の音量ボタン用窓部１０ａから音量ボタン１１２及びスライドスイッチ１１１が露出する。このように、ケース１が携帯端末１００を収容した状態で、ケース１から、携帯端末１００の各部が外部に露出する。
【００２７】
図１４は、携帯端末を収容したケースをシステム手帳に綴じた状態を示す図である。図１４に示すように、システム手帳２００は、リング２０１が設けられた本体カバー２０３、リング２０１に綴じられたノート２０２等により構成される。システム手帳２００のリング２０１をリング孔１４に挿入し、リング２０１を閉じることで、携帯端末１００を収容したケース１をシステム手帳２００に綴じることができる。また、上述のように、ケース１が携帯端末１００を収容した状態で、携帯端末１００の操作部１０３がケース１から外部に露出している。このため、ユーザーは、携帯端末１００を収容したケース１がシステム手帳２００に綴じられた状態でも、外部に露出した携帯端末１００の操作部１０３の操作を行うことができる。このように、本実施形態のケース１は、収容した携帯端末１００の操作性が悪くなることがなく、携帯端末１００を収容したケースをシステム手帳２００に綴じることができる。
【００２８】
また、ケース１が携帯端末１００を収容した状態でスピーカー１０５が外部に露出しているため、携帯端末１００を収容したケース１がシステム手帳２００に綴じられた状態でも、ユーザーは、スピーカー１０５から発せられる音を聴取することができる。また、ケース１が携帯端末１００を収容した状態で通信コネクタ１０４が外部に露出しているため、携帯端末１００を収容したケース１がシステム手帳２００に綴じられた状態でも、携帯端末１００と外部装置とのデータ通信、外部装置による携帯端末１００の充電等を行うことができる。また、ケース１が携帯端末１００を収容した状態でヘッドホンコネクタ１０７が外部に露出しているため、携帯端末１００を収容したケース１がシステム手帳２００に綴じられた状態でも、ヘッドホンコネクタ１０７を介して、ユーザーは、図示しないヘッドホンにより、携帯端末１００から発せられる音を聴取することができる。
【００２９】
ここで、図２等に示すように、スピーカー用窓部７ａ、７ｂは、それぞれ、底壁２の中心Ｃに対して、対向する下側壁４と上側壁３の点対称な位置（左右方向の中央）に設けられている。ヘッドホン用窓部８ａ、８ｂは、それぞれ、中心Ｃに対して、対向する上側壁３と下側壁４の点対称な位置（左端と右端）に設けられている。電源ボタン用窓部９ａ、９ｂは、それぞれ、中心Ｃに対して、対向する上側壁３と下側壁４の点対称な位置（右端と左端）に設けられている。音量ボタン用窓部１０ａ、１０ｂは、中心Ｃに対して、対向する右側壁５と左側壁６の点対称な位置（上端と下端）に設けられている。カメラ用孔１１ａ、１１ｂは、それぞれ、中心Ｃに対して、底壁２の点対称な位置（右上端と左下端）に設けられている。従って、図１０〜図１３に示す、携帯端末１００のホームボタン１１０が下方に位置する姿勢から、図１５〜図１８に示すように、携帯端末１００を面方向に１８０度回転し、ホームボタン１１０が上方に位置する姿勢でケース１に携帯端末１００を収容することができる。そして、図１５に示すように、ケース１から外部に表示部１０２、ホームボタン１１０、第１カメラ１０８が外部に露出する。図１６に示すように、ケース１の底壁２のカメラ用孔１０ｂから、第２カメラ１０９が外部に露出する。図１６及び図１７（ａ）に示すように、ケース１の上側壁３のスピーカー用窓部７ｂからスピーカー１０５及び通信コネクタ１０４が外部に露出する。図１６及び図１７（ｂ）に示すように、ケース１の下側壁４のスピーカー用窓部７ａからマイク１０６が、電源ボタン用窓部９ｂから電源ボタン１１３が、ヘッドホン用窓部８ｂからヘッドホンコネクタ１０７が外部に露出する。図１６及び図１８（ｂ）に示すように、ケース１の左側壁６の音量ボタン用窓部１０ｂから音量ボタン１１２及びスライドスイッチ１１１が露出する。このように、図１０〜図１３に示す携帯端末１００のホームボタン１１０が下方に位置する姿勢から、図１５〜図１８に示すように、ホームボタン１１０が上方に位置する姿勢でケース１に携帯端末１００を収容した状態でも、ケース１から、携帯端末１００の各部が外部に露出する。
【００３０】
図１９は、図１４〜図１８に示す姿勢で携帯端末を収容したケースをシステム手帳に綴じた状態を示す図である。上述のように、携帯端末１００は、ホームボタン１１０が下方に位置する姿勢で使用されるため、ケース１をシステム手帳２００に綴じる場合、図１５に示す状態からケース１を１８０度回転させて、ケース１がシステム手帳２００のノート２０２の右側に配置されるように、ケース１をシステム手帳２００に綴じる。図１９に示すように、システム手帳２００の右側に携帯端末１００が配置されるように、システム手帳２００にケース１を綴じた場合、左利きのユーザーは、システム手帳２００を右手で持ち、左手で携帯端末１００を操作しやすい。また、システム手帳２００のノート２０２が左側にあるため、ノート２０２に左手で文字を書きやすい。このように、左利きのユーザーは、システム手帳２００のノート２０２の右側に携帯端末１００が配置されるように、ケース１をシステム手帳２００に綴じた場合に、携帯端末１００、システム手帳２００の双方を使いやすい。また、図１４に示すように、システム手帳２００のノート２０２の左側に携帯端末１００が配置されるように、システム手帳２００にケース１を綴じた場合、右利きのユーザーは、システム手帳２００を左手で持ち、右手で携帯端末１００を操作しやすい。また、システム手帳２００のノート２０２が右側にあるため、ノート２０２に右手で文字を書きやすい。このように、右利きのユーザーは、システム手帳２００のノート２０２の左側に携帯端末１００が配置されるように、ケース１をシステム手帳２００に綴じた場合に、携帯端末１００、システム手帳２００の双方を使いやすい。
【００３１】
このように、窓部７〜１０は、それぞれ、対向する側壁３〜６の、底壁２の中央Ｃに対して点対称な位置に１つずつ設けられているため、携帯端末１００を互いに１８０度異なった姿勢で（図１０〜図１３、図１５〜図１８）、ケース１に収容させることができる。そして、ケース１に収容された携帯端末１００の操作部１０３は、外部に露出しているため、携帯端末１００を収容したケース１がシステム手帳２００に綴じられた状態でも、外部に露出した携帯端末１００の操作部１０３を操作することができる。このように、携帯端末１００を互いに１８０度異なった姿勢で、ケース１に収容させることができるため、携帯端末１０３の通常使用時の姿勢（ホームボタン１１０が下方に位置する姿勢）のまま、システム手帳２００のノート２０２の左側、又は、右側に携帯端末１００が配置されるように、ケース１をシステム手帳２００に綴じることができる。上述のように、右利きのユーザーは、システム手帳２００の左側に携帯端末１００が配置されるように、システム手帳２００にケース１を綴じれば、携帯端末１００の操作等を行いやすい。また、左利きのユーザーは、システム手帳２００の右側に携帯端末１００が配置されるように、システム手帳２００にケース１を綴じれば、携帯端末１００の操作等を行いやすい。このように、本実施形態のケース１によれば、携帯端末１００を収容したケース１がシステム手帳２００に綴じられた状態であっても、右利き、左利きのいずれのユーザーも、携帯端末１００の操作等を行いやすい。
【００３２】
上述のように、取付部１２は、音量ボタン用窓部１０ａが設けられている右側壁５から外側（携帯端末１００と反対側）へ張り出している。ここで、取付部１２の音量ボタン用窓部１０ａと対応する位置に、切欠部１６が設けられている。このため、取付部１２が、音量ボタン用窓部１０ａから外部に露出した音量ボタン１１２、スライドスイッチ１１１のユーザーの操作の邪魔になることがない。
【００３３】
また、カメラ用孔１１ａ、１１ｂは、底壁２の、中央Ｃに対して点対称な位置に１つずつ設けられているため、互いに１８０度異なった姿勢（図１０〜図１３、図１５〜図１８）で、ケース１に携帯端末１００を収容させた場合に、第２カメラ１０９が、いずれかのカメラ用孔１１ａ、１１ｂから外部に露出する。これにより、いずれの姿勢で携帯端末１００がケース１に収容された状態であっても、ケース１から携帯端末１００を取り外すことなく、第２カメラ１０９を使用することができる。
【００３４】
本実施形態では、電源ボタン用窓部９ａ、９ｂ、音量ボタン用窓部１０ａ、１０ｂが、本発明の「第１窓部」に相当する。スピーカー用窓部７ａ、７ｂ、ヘッドホン用窓部８ａ、８ｂが、本発明の「第２窓部」に相当する。ホームボタン１１０、スライドスイッチ１１１、音量ボタン１１２、電源ボタン１１３が、本発明の「操作子」に相当する。通信コネクタ１０４、ヘッドホンコネクタ１０７が、本発明の「コネクタ」に相当する。システム手帳２００が、本発明の「リングバインダー」に相当する。
【００３５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３６】
上述の実施形態においては、スピーカー用窓部７ａ、７ｂは、マイク１０６を外部に露出させるためのマイク用窓部を兼ねている。これに限らず、マイク１０６を外部に露出させるための単独のマイク用窓部が設けられていてもよい。また、スピーカー用窓部７ａ、７ｂは、通信コネクタ１０４を外部に露出させるための通信コネクタ用窓部を兼ねている。これに限らず、通信コネクタ１０４を外部に露出させるための単独の通信コネクタ用窓部が設けられていてもよい。
【００３７】
上述の実施形態においては、窓部７〜１０は、例えば、下側壁４の左右方向の中央等に設けられている。これに限らず、窓部は、携帯端末の側部に設けられた操作部を構成するボタン、スイッチ等の操作子、スピーカー、コネクタに対応した位置の、側壁に設けられていればよい。
【００３８】
上述の実施形態においては、第１カメラ１０８は、携帯端末１００の前面１０１ａ、第２カメラ１０９は、背面１０１ｂに設けられている。例えば、カメラが携帯端末１００の側部１０１ｃ〜１０１ｆに設けられている場合、対応する位置の側壁２〜６に、カメラを外部に露出させるためのカメラ用窓部が設けられていてもよい。また、カメラ用窓部は、対向する側壁３〜６の、底壁２の中心Ｃに対して点対称な位置に１つずつ設けられていてもよい。本変形例のカメラ用窓部は、本発明の「第２窓部」に相当する。
【００３９】
上述の実施形態においては、窓部７〜１０は、側壁３〜６の、外部に露出させる各部と対応する位置に形成された切欠である。これに限らず、窓部は、例えば、側壁３〜６の、外部に露出させる各部と対応する位置に形成された孔であってもよい。
【００４０】
上述の実施形態においては、表示部１０２は、タッチパネル式の液晶ディスプレイであり、操作部１０３を兼ねている。また、前面１０１ａには、表示部１０２以外の操作部１０３を構成するホームボタン１１０が設けられている。このように、表示部１０２が、タッチパネル式の液晶ディスプレイであり、操作部１０３を兼ねている場合、ホームボタン１１０は設けられていなくてもよい。また、表示部１０２は、タッチパネル式の液晶ディスプレイでなくてもよい。
【００４１】
上述の実施形態においては、リングを有し、ノート等を綴じることが可能なリングバインダーとして、システム手帳を例示した。これに限らず、システム手帳以外の他のリングバインダーであってもよい。また、システム手帳として、Ａ５サイズであって、６つのリングを有するものを例示した。これに限らず、システム手帳は、他のサイズであってもよく、また、システム手帳のリングの数は、６つ以外であってもよい。
【００４２】
上述の実施形態においては、携帯端末として、タブレットＰＣを例に挙げた。これに限らず、スマートフォン、フィーチャーフォン、携帯メディアプレーヤー、携帯ゲーム機等であってもよい。
【符号の説明】
【００４３】
１  携帯情報端末機用ケース
２  底壁
３  上側壁
４  下側壁
５  右側壁
６  左側壁
７ａ、７ｂ  スピーカー用窓部
８ａ、８ｂ  ヘッドホン用窓部
９ａ、９ｂ  電源ボタン用窓部
１０ａ、１０ｂ  音量ボタン用窓部
１１ａ、１１ｂ  カメラ用孔
１２  取付部
１４  リング孔
１６  切欠き部
１００  携帯情報端末機
１０３  操作部
１０４  通信コネクタ
１０５  スピーカー
１０７  ヘッドホンコネクタ
２００  システム手帳
２０１  リング
【図１】
2014216844.tif 000003
【図２】
2014216844.tif 000004
【図３】
2014216844.tif 000005
【図４】
2014216844.tif 000006
【図５】
2014216844.tif 000007
【図６】
2014216844.tif 000008
【図７】
2014216844.tif 000009
【図８】
2014216844.tif 000010
【図９】
2014216844.tif 000011
【図１０】
2014216844.tif 000012
【図１１】
2014216844.tif 000013
【図１２】
2014216844.tif 000014
【図１３】
2014216844.tif 000015
【図１４】
2014216844.tif 000016
【図１５】
2014216844.tif 000017
【図１６】
2014216844.tif 000018
【図１７】
2014216844.tif 000019
【図１８】
2014216844.tif 000020
【図１９】
2014216844.tif 000021